(57)【特許請求の範囲】
【請求項１】
建物の屋上やベランダにおけるドレン部分の改修工事に用いられる、改修用ドレンであって、
建物の排水管の内側に嵌められる管部材と、
板状部材が打ち抜かれて形成される孔部と、該孔部の周縁部よりアール形状を有する状態で突出して形成されて前記管部材と連通するように互いの端部同士を突き合わせて前記孔部よりも突出した位置で溶接固定される短管部と、を備え、柔軟な素材で構成されて建物の形状に合わせて変形可能な鍔部材と、を具備し、
前記アール形状を変形させて横引き排水用に取り付け可能に構成される、
改修用ドレン。
【請求項２】
建物の排水管の内側に嵌められる管部材と、柔軟な素材で構成されて建物の形状に合わせて変形可能な鍔部材と、を具備し、建物の屋上やベランダにおけるドレン部分の改修工事に用いられる改修用ドレンの製造方法であって、
板状部材を打ち抜いて孔部を形成し、該孔部の周縁部よりアール形状を有する状態で突出させて短管部を形成して、前記鍔部材を形成し、
前記鍔部材の短管部と前記管部材とが連通するように互いの端部同士を突き合わせて融合溶接する、
改修用ドレンの製造方法。
【発明の詳細な説明】
【技術分野】
【０００１】
本発明は、建物の屋上やベランダの防水工事の際、ドレン部分の改修工事に用いる、改修用ドレン、及び（製造方法）に関するものである。
【背景技術】
【０００２】
従来、建物屋上やベランダの防水工事をする際、既存の鋳物ドレン部分が腐食した場合に、その上へ鉛等の柔軟な素材で構成される改修用ドレンを被せて防水の改修工事を行なっている（例えば、特許文献１、特許文献２参照。）。図７に示した従来の改修用ドレン１０１は、排水管の内側に嵌められる管部材１０６と、該管部材１０６の上部に半径方向に広がるように形成された鍔部材１０７とで構成されている。そして、従来の改修用ドレン１０１の鍔部材１０７と管部材１０６とは、該鍔部材１０７の平面視中央部に形成された環状の孔部１１０に、該管部材１０６の一端側を嵌め込んで半田溶接することで接続していた。
【特許文献１】特開２００２−０５４２７４号公報
【特許文献２】実開平０６−０７３２２２号公報
【発明の開示】
【発明が解決しようとする課題】
【０００３】
しかし、このような改修用ドレン１０１を排水孔部分に被せてから、木槌等でたたいて建物にフィットさせる場合には、木槌等でたたく部分と、鍔部材１０７と管部材１０６とが溶接されている部分とが近くなるため、溶接部分をたたいてしまうと、溶接部分に大きな衝撃が加わり、割れ易い半田溶接部分が切れてしまう不具合が生じていた。
【課題を解決するための手段】
【０００４】
本発明の解決しようとする課題は以上の如くであり、次にこの課題を解決するための手段を説明する。
【０００５】
即ち、請求項１においては、
建物の屋上やベランダにおけるドレン部分の改修工事に用いられる、改修用ドレンであって、
建物の排水管の内側に嵌められる管部材と、
板状部材が打ち抜かれて形成される孔部と、該孔部の周縁部よりアール形状を有する状態で突出して形成されて前記管部材と連通するように互いの端部同士を突き合わせて前記孔部よりも突出した位置で溶接固定される短管部と、を備え、柔軟な素材で構成されて建物の形状に合わせて変形可能な鍔部材と、を具備し、
前記アール形状を変形させて横引き排水用に取り付け可能に構成されるものである。
【０００６】
請求項２においては、建物の排水管の内側に嵌められる管部材と、柔軟な素材で構成されて建物の形状に合わせて変形可能な鍔部材と、を具備し、建物の屋上やベランダにおけるドレン部分の改修工事に用いられる改修用ドレンの製造方法であって、
板状部材を打ち抜いて孔部を形成し、該孔部の周縁部よりアール形状を有する状態で突出させて短管部を形成して、前記鍔部材を形成し、
前記鍔部材の短管部と前記管部材とが連通するように互いの端部同士を突き合わせて融合溶接するものである。
【発明の効果】
【０００７】
本発明の効果として、以下に示すような効果を奏する。
【０００８】
請求項１においては、改修用ドレンにおける管部材が、鍔部材の板状部材から離れた位置で接続されることとなるため、鍔部材の板状部材を木槌等でたたいて建物にフィットさせる場合に、鍔部材と管部材との溶接部分をたたくおそれがなくなり、溶接部分に衝撃が伝わりにくく切れにくくなる。よって、改修用ドレンの取付作業を確実に行なうことができる。
【０００９】
請求項２においては、鍔部材の板状部材から離れた位置で、頑丈な融合溶接により管部材が接続されているため、鍔部材の板状部材を木槌等でたたいて建物にフィットさせる場合においても、溶接部分がたたかれるおそれがなく、溶接部分に衝撃が伝わりにくく切れにくい改修用ドレンを、容易に製造することができる。よって、改修用ドレンの取付作業を確実に行なうことができるようになる。
【発明を実施するための最良の形態】
【００１０】
次に、発明の実施の形態を説明する。
図１は本発明の改修用ドレンの管部材と鍔部材とを示す組立斜視図、図２は改修用ドレンを、既設ルーフドレンに被せた状態を示す断面図、図３は改修用ドレンの製造方法を示すフロー図である。図４は改修用ドレンをたて引き排水用に取り付ける状態を示す断面図、図５は改修用ドレンを横引き排水用に取り付ける状態を示す断面図である。図６は改修用ドレンの別実施例を示す断面図、図７は従来の改修用ドレンの管部材と鍔部材とを示す組立斜視図である。
改修用ドレン１は、図２に示すように、建物２の排水孔３に挿入された排水管４の上部に嵌め合わされた既設ドレン５の上に被せることで、改修工事を行なうことができる。
【００１１】
図１に示した改修用ドレン１は、排水管４の内側に嵌められる円筒状の管部材６と、該管部材６の上部に半径方向に広がるように形成された鍔部材７とで構成されている。該鍔部材７には、板状部材８から管部材６側に突出する短管部９が設けられ、鍔部材７は該短管部９の端部で管部材６と溶接され接続されている。管部材６と鍔部材７とは、鉛同士で溶け合わせ一体化する、溶接材を一切使わない融合溶接で、シームレスで頑丈に接続されている。
【００１２】
鍔部材７の短管部９は、矩形の板状部材８の中央に打ち抜かれた孔部１０の周縁部より突出している。なお、板状部材８は矩形に限定されるものではなく、円形等であってもよい。前記短管部９は、図２に示したように、水平部である板状部材８の端部より、滑らかなアール形状を有する状態で下方に突出して形成されており、改修用ドレン１の上部において孔部１０を囲う防水シート１２が張り易く、孔部１０から流暢に水が流れるようになっている。
【００１３】
改修用ドレン１は、柔軟な鉛等の素材で構成されており、木槌１１などで鍔部材７を叩いて形状を変化させ、下地にフィットさせることができ、様々な形状の下地に対応させる
ことができる。図４は改修用ドレン１をたて引き排水用に取り付ける状態を示し、図５は改修用ドレン１を横引き排水用に取り付ける状態を示している。
【００１４】
そして、板状部材８から離れた位置で鍔部材７と管部材６とは溶接されているため、板状部材８を木槌１１等でたたいて建物２にフィットさせる場合において、板状部材８は溶接位置から離れた位置でたたかれる。よって、従来のように、管部材６が直接溶接される板状部材８をたたくことで、溶接部分をたたいてしまうおそれがなくなる。よって、溶接部分に衝撃が伝わりにくい。また鍔部材７と管部材６とは、頑丈な融合溶接によって接続されている。よって、鍔部材７と管部材６とは接続が切れにくくなっている。
【００１５】
改修用ドレン１の製造方法について、図３を用いて説明する。
鍔部材７は、平面視矩形の板状部材８の中央に孔部１０を打ち抜き、絞り出しにより突出する短管部９を形成して構成する。短管部の径Ｌ２は、管部材６の径Ｌ１と同じである。そして、鍔部材７の短管部９と、管部材６の端部同士を突き合わせて融合溶接してつなぎあわせている。
【図面の簡単な説明】
【００１６】
【図１】本発明の改修用ドレンの管部材と鍔部材とを示す組立斜視図。
【図２】改修用ドレンを、既設ルーフドレンに被せた状態を示す断面図。
【図３】改修用ドレンの製造方法を示すフロー図。
【図４】改修用ドレンをたて引き排水用に取り付ける状態を示す断面図。
【図５】改修用ドレンを横引き排水用に取り付ける状態を示す断面図。
【図６】改修用ドレンの別実施例を示す断面図。
【図７】従来の改修用ドレンの管部材と鍔部材とを示す組立斜視図。
【符号の説明】
【００１７】
１    改修用ドレン
４    排水管
６    管部材
７    鍔部材
８    板状部材
９    短管部
１０  孔部
【図１】
0004405473.tif 000002
【図２】
0004405473.tif 000003
【図３】
0004405473.tif 000004
【図４】
0004405473.tif 000005
【図５】
0004405473.tif 000006
【図６】
0004405473.tif 000007
【図７】
0004405473.tif 000008